【手続補正書】
【提出日】平成26年6月30日(2014.6.30)
【手続補正１】
【補正対象書類名】明細書
【補正対象項目名】発明の名称
【補正方法】変更
【補正の内容】
【発明の名称】記録装置及びシート搬送装置
【手続補正２】
【補正対象書類名】明細書
【補正対象項目名】０００１
【補正方法】変更
【補正の内容】
【０００１】
本発明は、用紙を取り扱う装置内に装備されて、複数の種類の用紙を、同一の分離手段で１枚ずつに分離して次工程に供給する給紙装置を備えた記録装置及び該記録装置に用いることのできるシート搬送装置に関する。
【手続補正３】
【補正対象書類名】明細書
【補正対象項目名】０００７
【補正方法】変更
【補正の内容】
【０００７】
本発明は以上の点を鑑みてなされたものであり、複数の種類の記録媒体を使用する記録装置であっても、画像品質の低下を低減する記録装置及び該記録装置に用いることのできるシート搬送装置を提供する。
【手続補正４】
【補正対象書類名】明細書
【補正対象項目名】０００８
【補正方法】変更
【補正の内容】
【０００８】
そのために本発明では、シートを積載するシート積載手段と、前記積載されたシートのうち最上部に積載されたシートに接して該シートを供給する給紙手段と、前記給紙手段により供給されるシートの先端部が当接する分離斜面によって、前記積載されたシートのうち前記最上部に積載されたシートを分離する分離手段と、シートの搬送方向において前記分離手段の下流で前記分離手段と接続され、前記分離手段によって分離されて前記搬送方向へ移動する前記シートをガイドするガイド手段と、前記シートに記録を行うための記録手段と、を備えた記録装置であって、前記分離手段は前記ガイド手段との接続部近傍に回動中心を備え、前記分離手段の前記接続部近傍と反対側が前記回動中心を回動中心として回動することにより、前記シート積載手段と前記分離斜面とがなす角度を、第１の角度または前記第１の角度より小さい第２の角度に切り換えることを特徴とする記録装置を提供、さらに、シートを積載するシート積載手段、前記シート積載手段に積載された少なくとも最上部のシートを搬送する搬送手段、前記最上部のシートを分離する斜面であって前記搬送手段により搬送される前記シートの先端部が当接する斜面を有する分離手段、及び、前記搬送手段がシートを搬送する方向に対する前記斜面の角度を変更する変更手段を備えたシート搬送装置であって、前記変更手段は、前記斜面の前記角度を、搬送される前記シートの種類に従って、前記搬送手段が前記シート積載手段に積載された前記シートを搬送する前に、変更することを特徴とするシート搬送装置を提供する。
【手続補正５】
【補正対象書類名】特許請求の範囲
【補正対象項目名】全文
【補正方法】変更
【補正の内容】
【特許請求の範囲】
【請求項１】
シートを積載するシート積載手段と、
前記積載されたシートのうち最上部に積載されたシートに接して該シートを供給する給紙手段と、
前記給紙手段により供給されるシートの先端部が当接する分離斜面によって、前記積載されたシートのうち前記最上部に積載されたシートを分離する分離手段と、
シートの搬送方向において前記分離手段の下流で前記分離手段と接続され、前記分離手段によって分離されて前記搬送方向へ移動する前記シートをガイドするガイド手段と、
前記シートに記録を行うための記録手段と、
を備えた記録装置であって、
前記分離手段は前記ガイド手段との接続部近傍に回動中心を備え、前記分離手段の前記接続部近傍と反対側が前記回動中心を回動中心として回動することにより、前記シート積載手段と前記分離斜面とがなす角度を、第１の角度または前記第１の角度より小さい第２の角度に切り換えることを特徴とする記録装置。
【請求項２】
前記第１の角度でシートを分離するシートの剛性は、前記第２の角度でシートを分離するシートの剛性よりも高いことを特徴とする請求項１に記載の記録装置。
【請求項３】
前記第１の角度を形成しているときの前記シート積載手段に搭載されたシートと前記分離斜面との最短距離は、前記第２の角度を形成しているときの前記シート積載手段に搭載されたシートと前記分離斜面との最短距離よりも小さいことを特徴とする請求項１または請求項２に記載の記録装置。
【請求項４】
前記分離手段の角度の切換えは、前記給紙手段の駆動源のトルク情報から設定されることを特徴とする請求項１から請求項３のいずれかに記載の記録装置。
【請求項５】
前記分離手段の角度の切換えは、前記給紙手段による供給で、前記シートが次工程に供給されなかった情報から設定されることを特徴とする請求項１から請求項３のいずれかに記載の記録装置。
【請求項６】
シートを積載するシート積載手段、
前記シート積載手段に積載された少なくとも最上部のシートを搬送する搬送手段、
前記最上部のシートを分離する斜面であって前記搬送手段により搬送される前記シートの先端部が当接する斜面を有する分離手段、
前記搬送手段がシートを搬送する方向に対する前記斜面の角度を変更する変更手段、及び、
前記シートに記録を行うための記録手段
を備えた記録装置であって、
前記変更手段は、前記斜面の前記角度を、搬送される前記シートの種類に従って、前記搬送手段が前記シート積載手段に積載された前記シートを搬送する前に、変更することを特徴とする記録装置。
【請求項７】
前記変更手段は、前記斜面の前記角度を第１の角度に設定して第１の剛性を持った前記シートを分離し、及び、前記斜面の前記角度を前記第１の角度よりも大きい第２の角度に設定して前記第１の剛性よりも高い第２の剛性を持った前記シートを分離することを特徴とする請求項６に記載の記録装置。
【請求項８】
前記変更手段は、前記分離手段に当接するカムを有することを特徴とする請求項６に記載の記録装置。
【請求項９】
前記カムは、前記分離手段の側部であって前記シート積載手段に積載された前記シートに向き合わない側部に当接することを特徴とする請求項８に記載の記録装置。
【請求項１０】
さらに、前記分離手段によって分離された前記シートをガイドするガイド手段を備え、
前記斜面の回動中心がシート移動方向における前記ガイド手段の上流側端部近傍に備えられることを特徴とする請求項６に記載の記録装置。
【請求項１１】
前記変更手段は、前記斜面の前記角度を、前記斜面をシート移動方向における前記斜面の下流側端部近傍に備えられた回動中心の回りに、前記シートが前記斜面に当接していない間に回動させることで変更することを特徴とする請求項６に記載の記録装置。
【請求項１２】
シートを積載するシート積載手段、
前記シート積載手段に積載された少なくとも最上部のシートを搬送する搬送手段、
前記最上部のシートを分離する斜面であって前記搬送手段により搬送される前記シートの先端部が当接する斜面を有する分離手段、及び、
前記搬送手段がシートを搬送する方向に対する前記斜面の角度を変更する変更手段
を備えたシート搬送装置であって、
前記変更手段は、前記斜面の前記角度を、搬送される前記シートの種類に従って、前記搬送手段が前記シート積載手段に積載された前記シートを搬送する前に、変更することを特徴とするシート搬送装置。
【請求項１３】
前記変更手段は、前記斜面の前記角度を第１の角度に設定して第１の剛性を持った前記シートを分離し、及び、前記斜面の前記角度を前記第１の角度よりも大きい第２の角度に設定して前記第１の剛性よりも高い第２の剛性を持った前記シートを分離することを特徴とする請求項１２に記載のシート搬送装置。